(57)【特許請求の範囲】
【請求項１】
貨幣を処理する貨幣処理システムであって、
所定の位置に載置される貨幣の画像データを取得する撮像部と、
内部に受け入れた貨幣を識別する識別部と、
前記撮像部で撮像された画像データに基づいて少なくとも一部の預かり金額を算出する画像計数モードと、前記撮像部で撮像された画像データではなく前記識別部による識別結果に基づいて預かり金額を算出する識別計数モードと、を選択的に実行し、入力された売上金額と算出された預かり金額を用いて釣銭金額を算出する制御部と、
を備えたことを特徴とする貨幣処理システム。
【請求項２】
前記制御部は、タイマー手段を有し、予め設定された時間帯に基づいて、実行すべきモードを切り替える
ことを特徴とする請求項１に記載の貨幣処理システム。
【請求項３】
前記制御部は、モード選択指示手段の操作に基づいて、実行すべきモードを切り替える
ことを特徴とする請求項１または２に記載の貨幣処理システム。
【請求項４】
前記制御部は、前記画像計数モードが設定されている場合において前記画像データに基づく算出で識別不能貨幣が発生すると、前記識別計数モードに切り替わる
ことを特徴とする請求項１〜３のいずれかに記載の貨幣処理システム。
【請求項５】
筐体と、
前記筐体の外部から貨幣を受け入れるための受入部を備え、
前記制御部は、前記画像計数モードに設定されている場合において前記受入部に貨幣が投入されると、前記識別計数モードに切り替わる
ことを特徴とする請求項１〜４のいずれかに記載の貨幣処理システム。
【請求項６】
前記制御部は、前記識別計数モードに切り替わって１回の取引を終えると、前記画像計数モードに戻る
ことを特徴とする請求項４または５に記載の貨幣処理システム。
【請求項７】
筐体と、
前記筐体の外部から貨幣を受け入れるための受入部を備え、
前記受入部には開閉可能なシャッタが設けられ、
前記シャッタは、前記制御部が前記識別計数モードに設定される場合に開放される
ことを特徴とする請求項１〜４のいずれかに記載の貨幣処理システム。
【請求項８】
前記制御部は、実行したモードを特定する情報を出力する
ことを特徴とする請求項１〜７のいずれかに記載の貨幣処理システム。
【請求項９】
貨幣処理システムを用いて貨幣を処理する貨幣処理方法であって、
前記貨幣処理システムは、所定の位置に載置される貨幣の画像データを取得する撮像部と、内部に受け入れた貨幣を識別する識別部と、を有し、
前記撮像部で撮像された画像データに基づいて少なくとも一部の預かり金額を算出する画像計数モードと、前記撮像部で撮像された画像データではなく前記識別部による識別結果に基づいて預かり金額を算出する識別計数モードと、のうちいずれか一方を選択する工程と、
選択したモードを実行して前記預かり金額の合計金額を算出し、入力された売上金額と算出された預かり金額を用いて釣銭金額を算出する工程と、
を備えたことを特徴とする貨幣処理方法。
【発明の詳細な説明】
【技術分野】
【０００１】
本発明は、貨幣を処理する貨幣処理システム及び貨幣処理方法に関する。
【背景技術】
【０００２】
従来から、金融機関、交通機関の窓口、スーパーマーケット等の精算所においては、紙幣や硬貨の入出金処理を機械的に自動処理するような貨幣処理システムが導入されている。
【０００３】
上記貨幣入出金処理システムは、紙幣の入出金処理を行う紙幣処理装置と、硬貨の入出金処理を行う硬貨処理装置と、商品、販売額、振込額等を登録するとともに紙幣処理装置及び硬貨処理装置に対して指令を送る登録装置と、を含んでいる。この登録装置は、スーパーマーケット等の精算所においてはＰＯＳレジスタがその機能を持ち、また金融機関や交通機関の窓口においてはテラーズマシンがその機能を持つようになされている。
【０００４】
特許文献１では、筐体に設けられ、貨幣を受け入れる受入部と、受入部で受け入れられた貨幣を識別する識別部と、を有し、識別部による識別結果に基づいて預かり金額の合計金額を算出し、入力された売上金額と算出した預かり金額の合計金額とから釣銭金額を算出する貨幣処理装置が開示されている。この貨幣処理装置では、識別部による識別結果に基づいて、入金金額を正確に算出することができるため、釣銭金額に間違いが発生する可能性を低く抑えることができる。一方、この貨幣処理装置では、入金された貨幣の繰り出し及び識別を経た後で釣銭が払い出されることから、レジ等において顧客を待たせる時間が長くなってしまう。
【０００５】
特許文献２では、所定の場所に載置された貨幣の画像データを取得する撮像部を有し、撮像部で撮像された画像データに基づいて預かり金額の合計金額を算出し、入力された売上金額と算出した預かり金額の合計金額とから釣銭金額を算出する貨幣処理装置が開示されている。この貨幣処理装置では、画像データに基づいて預かり金額の合計金額を算出することで、貨幣の出金処理を優先して行うことができるため、顧客を待たせる時間を短くすることができる。一方、この貨幣処理装置では、貨幣の重なりや認識性能の差などにより、釣銭金額に間違いが発生する可能性がある。また、この貨幣処理装置では、貨幣が意図せず誤って貨幣入出金機（釣銭器）に投入される場合や汚損貨幣等によって画像認識が正常に行えない場合に、速やかな取引を行うことができなくなり、顧客に迷惑を掛けてしまう。
【先行技術文献】
【特許文献】
【０００６】
【特許文献１】特開２００９−２３０６８０号公報
【特許文献２】特開２０１４−１２６９８７号公報
【発明の概要】
【発明が解決しようとする課題】
【０００７】
本発明は、以上のような点を考慮してなされたものである。本発明の目的は、状況に応じて柔軟な対応が可能となり、顧客に迷惑を掛ける程度を軽減できる貨幣処理システム及び貨幣処理方法を提供することにある。
【課題を解決するための手段】
【０００８】
本発明による貨幣処理システムは、
貨幣を処理する貨幣処理システムであって、
所定の位置に載置される貨幣の画像データを取得する撮像部と、
内部に受け入れた貨幣を識別する識別部と、
前記撮像部で撮像された画像データに基づいて少なくとも一部の預かり金額を算出する画像計数モードと、前記撮像部で撮像された画像データではなく前記識別部による識別結果に基づいて預かり金額を算出する識別計数モードと、を選択的に実行し、入力された売上金額と算出された預かり金額を用いて釣銭金額を算出する制御部と、
を備える。
【０００９】
本発明による貨幣処理システムにおいて、
前記制御部は、タイマー手段を有し、予め設定された時間帯に基づいて、実行すべきモードを切り替えてもよい。
【００１０】
本発明による貨幣処理システムにおいて、
前記制御部は、モード選択指示手段の操作に基づいて、実行すべきモードを切り替えてもよい。
【００１１】
本発明による貨幣処理システムにおいて、
前記制御部は、前記画像計数モードに設定されている場合において前記受入部に貨幣が投入されると、前記識別計数モードに切り替わってもよい。
【００１２】
本発明による貨幣処理システムにおいて、
前記制御部は、前記画像計数モードに設定されている場合において前記画像データに基づく算出で識別不能貨幣が発生すると、前記識別計数モードに切り替わってもよい。
【００１３】
本発明による貨幣処理システムにおいて、
前記制御部は、前記識別計数モードに切り替わって１回の取引を終えると、前記画像計数モードに戻ってもよい。
【００１４】
本発明による貨幣処理システムにおいて、
前記制御部は、実行したモードを特定する情報を出力してもよい。
【００１５】
本発明による貨幣処理システムにおいて、
前記受入部には開閉可能なシャッタが設けられ、
前記シャッタは、前記制御部が前記識別計数モードに設定される場合に開放されてもよい。
【００１６】
本発明による貨幣処理方法は、
貨幣処理システムを用いて貨幣を処理する貨幣処理方法であって、
前記貨幣処理システムは、所定の位置に載置される貨幣の画像データを取得する撮像部と、内部に受け入れた貨幣を識別する識別部と、を有し、
前記撮像部で撮像された画像データに基づいて少なくとも一部の預かり金額を算出する画像計数モードと、前記撮像部で撮像された画像データではなく前記識別部による識別結果に基づいて預かり金額を算出する識別計数モードと、のうちいずれか一方を選択する工程と、
選択したモードを実行して前記預かり金額の合計金額を算出し、入力された売上金額と算出された預かり金額を用いて釣銭金額を算出する工程と、
を備える。
【発明の効果】
【００１７】
本発明によれば、状況に応じて柔軟な対応が可能となり、顧客に迷惑を掛ける程度を軽減できる。
【図面の簡単な説明】
【００１８】
【図１】図１は、本発明の実施の形態による貨幣処理システムの一部を示す斜視図である。
【図２】図２は、本発明の実施の形態による貨幣処理システムの構成を示す概略構成図である。
【図３】図３は、本発明の実施の形態による貨幣処理システムの構成を簡略化して示した制御ブロック図である。
【図４】図４は、本発明の実施の形態による貨幣処理システムの構成を示した制御ブロック図である。
【図５】図５は、本発明の実施の形態の登録表示部又は客側表示部で表示される表示画面の一例を示した図である。
【図６】図６は、本発明の実施の形態の登録表示部又は客側表示部で表示される表示画面の別の例を示した図である。
【図７】図７は、本発明の実施の形態の登録表示部又は客側表示部で表示される表示画面のさらに別の例を示した図である。
【図８】図８（ａ）−（ｄ）は、本発明の実施の形態による貨幣処理システムを用いた貨幣処理方法の一例を説明するための図であり、一連の作業を示した図である。
【図９】図９は、本発明の実施の形態による貨幣処理システムを用いた貨幣処理方法の一例を示すフローチャートである。
【図１０】図１０は、制御部に設定されるタイムテーブルの一例を示す図である。
【図１１】図１１は、制御部に設定される係員データベースの一例を示す図である。
【図１２】図１２は、制御部が出力する取引ログの一例を示す図である。
【発明を実施するための形態】
【００１９】
《構成》
以下、本発明に係る貨幣処理システム及び貨幣処理方法の実施の形態について、図面を参照して説明する。ここで、図１乃至図１２は本発明の実施の形態を説明するための図である。なお、本願において「貨幣」とは「硬貨」、「紙幣」、又は、「硬貨」及び「紙幣」の両方のことを意味する。したがって、本願の「貨幣処理装置」は、「硬貨処理装置１００」単体、「紙幣処理装置２００」単体、又は、「硬貨処理装置１００」及び「紙幣処理装置２００」の両方のことを意味する。なお、以下では、貨幣処理装置が硬貨処理装置１００及び紙幣処理装置２００の両方を含む態様を用いて説明する。
【００２０】
本願の貨幣処理システムは、硬貨処理装置１００及び紙幣処理装置２００のいずれかに接続されたＰＯＳレジスタやテラーズマシン等の登録装置３００、パソコン、サーバ４００等を備えてもよい（図１乃至図４参照）。硬貨処理装置１００及び紙幣処理装置２００は一体となっていてもよいし、各々が別体となっていてもよい。なお、外部装置とは、対象となっている装置以外の装置のことを意味し、例えば硬貨処理装置１００から見た場合には硬貨処理装置１００以外のあらゆる装置が外部装置に該当し、上述した例で言うと、紙幣処理装置２００、登録装置３００、パソコン、サーバ４００等が外部装置に該当する。また、紙幣処理装置２００から見た場合には紙幣処理装置２００以外のあらゆる装置が外部装置に該当し、上述した例で言うと、硬貨処理装置１００、登録装置３００、パソコン、サーバ４００等が外部装置に該当する。また、例えば硬貨処理装置１００及び紙幣処理装置２００を含む貨幣処理装置から見た場合には貨幣処理装置以外のあらゆる装置が外部装置に該当し、上述した例で言うと、登録装置３００、パソコン、サーバ４００等が外部装置に該当する。
【００２１】
本実施の形態では、硬貨処理装置１００、紙幣処理装置２００、登録装置３００及びサーバ（例えば店舗サーバ）４００を備えた貨幣処理システムを用いて説明する。
【００２２】
図２乃至図４に示すように、本実施の形態の登録装置３００はサーバ４００に通信接続されている。そして、登録装置３００からサーバ４００に売上金情報、紙幣の記番号等の情報が送信されるようになっている。また、各種設定情報等の情報が、サーバ４００から登録装置３００（複数台でも可）に配信されるようになっている。
【００２３】
図３及び図４に示すように、硬貨処理装置１００は、後述する操作表示部１５２を含む硬貨処理装置１００の一部や紙幣処理装置２００の一部等を統括的に制御する上位制御部１０１と、硬貨処理装置１００を制御する硬貨制御部１０２を有しており、これらの上位制御部１０１及び硬貨制御部１０２は通信接続されている。また、紙幣処理装置２００は、紙幣処理装置２００を制御する紙幣制御部２０２を有しており、この紙幣制御部２０２は硬貨処理装置１００の上位制御部１０１に通信接続されている。また、図４に示すように、登録装置３００は、登録装置３００を制御する登録制御部３０２を有しており、この登録装置３００の登録制御部３０２は硬貨処理装置１００の上位制御部１０１に通信接続されている。
【００２４】
そして、硬貨処理装置１００において硬貨の入金処理、出金処理、精査処理、回収処理等の様々な処理を行うと、硬貨処理装置１００の硬貨識別部１５０で識別された結果は硬貨処理装置１００から上位制御部１０１を介して登録装置３００に出力されて、当該結果が後述する登録表示部３５１で表示される。また、紙幣処理装置２００において紙幣の入金処理、出金処理、精査処理、回収処理等の様々な処理を行うと、紙幣処理装置２００の紙幣識別部２５０で識別された結果も紙幣処理装置２００から上位制御部１０１を介して登録装置３００に出力されて、当該結果が登録表示部３５１で表示される。
【００２５】
以下、硬貨処理装置１００、紙幣処理装置２００及び登録装置３００の構成について、説明する。
【００２６】
《硬貨処理装置１００》
まず、本実施の形態の硬貨処理装置１００の構成について説明する。ちなみに、本実施の形態の硬貨処理装置１００は、スーパー、コンビニエンスストア、ショッピングモール、百貨店等の様々な場所で利用され、硬貨の入出金処理を行う硬貨釣銭機となっている。ところで、硬貨処理装置１００としてはこのような硬貨釣銭機には限られることはなく、例えば硬貨入金機、硬貨出金機、券売機、自動販売機等も含まれる。
【００２７】
図４に示すように、本実施の形態の硬貨処理装置１００の上位制御部１０１には、インターフェース１３２と、操作表示部１５２と、物理的なボタン等からなるボタン式操作部１５３と、様々な情報を記憶する上位記憶部１５５と、タイマー手段１５６と、が接続されており、これらと信号の送受信を行い、これらを制御するように構成されている。また、硬貨制御部１０２には、後述する、インターフェース１３３、硬貨受入部１１０、入金硬貨搬送部１２０、硬貨識別部１５０、硬貨収納部１６０、振分部１２７，１２９、出金硬貨搬送部１８０、硬貨払出部１９０、硬貨が通過したことを検知する検知センサ１２４，１２５，１６４及び様々な情報を記憶する硬貨記憶部１０５等が接続されている。そして、硬貨制御部１０２は、硬貨受入部１１０、入金硬貨搬送部１２０、硬貨識別部１５０、硬貨収納部１６０、振分部１２７，１２９、出金硬貨搬送部１８０、硬貨払出部１９０、検知センサ１２４，１２５，１６４及び硬貨記憶部１０５等と信号の送受信を行い、これらを制御するように構成されている。なお、以下の硬貨処理装置１００の説明において、硬貨処理装置１００の制御を主に硬貨制御部１０２が行う態様を用いるが、このような態様に限られることはなく、硬貨制御部１０２ではなく、上位制御部１０１、紙幣制御部２０２及び登録制御部３０２のいずれか１つ以上の制御部が硬貨処理装置１００の制御を行ってもよい。
【００２８】
本実施の形態の硬貨処理装置１００は、図２に示すように、硬貨筐体１０３と、硬貨を硬貨筐体１０３の外部から入金するための硬貨受入部１１０（投入検知センサを備える）と、硬貨筐体１０３内に設けられ、硬貨を収納するとともに収納された硬貨を繰り出す硬貨収納部１６０と、硬貨筐体１０３内において、硬貨受入部１１０から投入された硬貨を１枚ずつ硬貨収納部１６０まで入金経路に沿って搬送する入金硬貨搬送部１２０と、入金経路に沿って設けられ、入金硬貨搬送部１２０で搬送される硬貨を識別して計数する硬貨識別部１５０と、を備えている。また、図１に示すように、硬貨筐体１０３の上面には、操作者が操作信号を入力したり操作者に所定の情報を表示したりするための操作表示部１５２が設けられている。本実施の形態の操作表示部１５２はタッチパネルとなっており、操作表示部１５２に直接触れることで、操作者が操作信号を入力することができる。なお、操作表示部１５２は液晶ディスプレイ（ＬＣＤ）等からなってもよい。また、硬貨受入部１１０は、図１に示すような開閉自在のシャッタ１１５を有してもよい。
【００２９】
図２に示すように、入金経路には、後述する金種別硬貨収納部１６１（つまり金種別硬貨収納部１６１ａ〜１６１ｆ）の各々に対応した検知センサ１２５と、当該検知センサ１２５からの情報を受けて各金種別硬貨収納部１６１に対応する金種の硬貨を振り分ける複数（本実施の形態では６つ）の入金振分部１２７が設けられている。各検知センサ１２５は、対応する金種別硬貨収納部１６１の振分位置より上流位置に対応して設けられている。
【００３０】
また、図２に示すように、硬貨識別部１５０の下流位置であって硬貨収納部１６０の上流位置には、硬貨識別部１５０で金種等を識別することができなかった硬貨をリジェクト硬貨として振り分けるためのリジェクト振分部１２９が設けられている。本実施の形態では、図２に示すように、リジェクト振分部１２９は、硬貨識別部１５０の下流側であって入金振分部１２７の上流側に位置している。
【００３１】
図２に示すように、リジェクト振分部１２９の直前の上流位置には検知センサ１２４が設けられている。そして、硬貨識別部１５０でリジェクト硬貨であると判断され、かつ、検知センサ１２４から硬貨が到達又は通過した旨の検知情報を受けた段階で、硬貨制御部１０２がリジェクト振分部１２９を開状態とし、リジェクト硬貨をリジェクト振分部１２９で取り込むようにしてもよい。なお、リジェクト振分部１２９が開状態となって当該リジェクト振分部１２９に取り込まれることで、硬貨は入金経路から外れ、リジェクト搬送経路（図示せず）を落下した後、後述する出金硬貨搬送部１８０によって硬貨払出部１９０まで送られることとなる。
【００３２】
図２に示すように、本実施の形態の硬貨処理装置１００は、硬貨収納部１６０から繰り出された硬貨を出金経路に沿って搬送する出金硬貨搬送部１８０と、出金経路に繰り出されて出金硬貨搬送部１８０で搬送された硬貨を出金する硬貨払出部１９０も備えている。
【００３３】
本実施の形態の硬貨収納部１６０は、金種別に硬貨を収納する複数（本実施の形態では６つ）の金種別硬貨収納部１６１を有しており、各金種別硬貨収納部１６１が水平方向で並列に配置されている。金種別硬貨収納部１６１は、図２の下から順番に、５００円硬貨、１００円硬貨、５０円硬貨、１０円硬貨、５円硬貨及び１円硬貨を収納するようになっている。
【００３４】
なお、金種別硬貨収納部１６１の各々は、硬貨を収納する金種別繰出収納庫と、金種別繰出収納庫内に収納された硬貨を出金経路に繰り出すための繰出部（図示せず）と、所定枚数の硬貨が繰り出された際にそれ以上の硬貨が繰り出されないように硬貨の繰り出しをストップさせるためのストッパ（図示せず）と、を有している。また、金種別硬貨収納部１６１の各々には、金種別繰出収納庫から繰出部で繰り出される硬貨の枚数を検知する検知センサ１６４（図４参照）が設けられている。
【００３５】
本実施の形態では、硬貨処理装置１００の各金種に関する在高は、対象となる金種別硬貨繰出収納部１６１に収納された（送り込まれた）硬貨の枚数から当該金種別硬貨繰出収納部１６１から繰り出された硬貨の枚数を差し引くことで算出可能となる。金種別硬貨繰出収納部１６１に収納された硬貨の枚数を算出する際には、具体的には、各金種別硬貨繰出収納部１６１に対応して設けられた入金振分部１２７の上流位置の検知センサ１２５で硬貨の通過が確認されたが当該入金振分部１２７の下流位置の検知センサ１２５で硬貨の通過が確認されなかった場合には、当該入金振分部１２７で硬貨が取り込まれて、当該入金振分部１２７に対応する金種別硬貨繰出収納部１６１に硬貨が収納されたと判断されて算出される。ただし、最も下流側に位置する金種別硬貨繰出収納部１６１ｆに関しては、当該金種別硬貨繰出収納部１６１ｆの直前に位置する検知センサ１２５を通過した硬貨の枚数が当該金種別硬貨繰出収納部１６１ｆに収納された硬貨の枚数となる。他方、各金種別硬貨繰出収納部１６１から繰り出された硬貨の枚数は検知センサ１６４からの情報に基づいて算出される。
【００３６】
本実施の形態では、硬貨受入部１１０の近傍（図１に示す態様では硬貨筐体１０３の上面）に硬貨を載置するための載置部１０に含まれる吟味台１４ａが設けられている。そして、吟味台１４ａに載置された硬貨の画像データを取得するためのカメラ等からなる撮像部５０が設けられている。図１に示す態様では、撮像部５０は硬貨筐体１０３の奥行き側に配置されているが、当然、これに限られることはなく、撮像部５０は吟味台１４ａに載置された硬貨の画像データを取得することができる位置であればどのような場所に配置されてもよく、例えば、登録装置３００の一種であるＰＯＳレジスタの近辺に設置されたポール等に取り付けてもよい。
【００３７】
本実施の形態では、吟味台１４ａは、硬貨筐体１０３の上面に設けられており、吟味台１４ａの載置面は硬貨受入部１１０よりも上方位置に位置づけられている。そして、吟味台１４ａと硬貨受入部１１０との間には、吟味台１４ａに載置された硬貨を硬貨受入部１１０へと導くためのシュート２０が設けられている。吟味台１４ａの載置面に載置された硬貨はレジ係等の操作者が手でシュート２０に送り込むようになっていてもよいが、吟味台１４ａの載置面がベルトコンベア等の搬送機構１６（図４参照）になっていたり、吟味台１４ａの載置面上でシュート２０に向かう方向で進退したり吟味台１４ａの載置面上で一定の角度で回転運動したりするワイパー等の押出部６０（図４参照）が設けられたりしており、画像データに基づいて算出された硬貨の合計金額について確定処理が行われると、搬送機構１６や押出部６０が駆動されることで、吟味台１４ａの載置面に載置された硬貨がシュート２０へ送られるようになっていてもよい。
【００３８】
本実施の形態では、上位制御部１０１は、撮像部５０で撮像された画像データに基づいて預かり金額の合計金額を算出する「画像計数モード」と、硬貨識別部１５０による識別結果に基づいて預かり金額の合計金額を算出する「識別計数モード」と、を選択的に実行し、入力された売上金額と算出した預かり金額の合計金額とから釣銭金額を算出するようになっている。ちなみに、上位制御部１０１が画像計数モードに設定されている場合、登録装置３００の登録表示部３５１及び／又は客側表示部３５６に「画像計数モード」と表示されてもよい（図５参照）。また、上位制御部１０１が識別計数モードに設定されている場合、登録装置３００の登録表示部３５１及び／又は客側表示部３５６に「識別計数モード」と表示されてもよい（図６参照）。
【００３９】
次に、上位制御部１０１が画像計数モードに設定されている場合の動作を説明する。
本実施の形態では、上位制御部１０１が、撮像部５０で取得された、吟味台１４ａに載置された硬貨の画像データに基づいて、顧客が支払った硬貨の合計金額を算出するようになっている（図５参照）。そして、上位制御部１０１は、上位制御部１０１が算出した硬貨の合計金額（図５に示す態様では６００円）と後述する紙幣制御部２０２で算出された紙幣の合計金額とを足し合わせて預かり金額を算出し、当該預かり金額と後述する登録装置３００等から入力された売上金額とから釣銭金額を算出する。なお、本実施の形態では撮像部５０が上位制御部１０１に接続された態様を用いて説明するが、これに限られることはなく、例えば登録装置３００の登録制御部３０２に撮像部５０が接続されてもよい。
【００４０】
上位制御部１０１は、撮像部５０で取得された画像データに基づいて、各硬貨の金種を判別するようになっていてもよい（図５参照）。より具体的には、上位制御部１０１は、硬貨の色、硬貨の中央部に穴が空いているか否か、硬貨の大きさ等に基づいて、画像データ中の硬貨の各々の金種を判別してもよい。また、硬貨の両面の模様を上位記憶部１５５等が記憶しており、上位制御部１０１は、上位記憶部１５５等で記憶されている模様と画像データ中の模様とを比較することで、画像データ中の硬貨の各々の金種を判別してもよい。そして、上位制御部１０１は、判別した金種を合計することで硬貨の合計金額を算出することになる。なお、図５に示す態様では、５００円硬貨（図５の左側に示された硬貨）を円形状の枠で囲むとともに、５００円硬貨の近辺に「５００」という数値が表示されている。同様に、１００円硬貨（図５の右側に示された硬貨）を円形状の枠で囲むとともに、１００円硬貨の近辺に「１００」という数値が表示されている。そして、画像データの右下には、これらの合計金額である「６００ｙｅｎ」が表示されている。
【００４１】
撮像部５０ではリアルタイムで画像データが取得されている。そして、上位制御部１０１は、撮像部５０によりリアルタイムで取得される画像データに基づいて、画像データ内の硬貨の金種をリアルタイムで判別し、判別結果に基づく情報を登録装置３００の登録表示部３５１及び／又は客側表示部３５６にリアルタイムで出力している。なお、客側表示部３５６は図１に示すような小型のものでもよいが、登録表示部３５１と同程度の大きさからなるような大型のものでもよい。客側表示部３５６が小型のものである場合には、売上金額、預かり金額及び釣銭金額等の取引情報が優先されて表示される。また、可能な場合には、客側表示部３５６には取引情報に加えて、画像データや画像に映し出された硬貨の金種の判別結果（図５における「５００」や「１００」の数値）が表示されてもよい。なお、後述するアラーム表示等は画像データに重ね合わせて表示されてもよい。ちなみに、客側表示部３５６は単に情報を表示するだけのものであってもよいが、タッチパネル等からなり、所定の入力を行うことができるようになっていてもよい。
【００４２】
ところで、本願の「リアルタイム」には多少のタイムラグがある場合も含まれ、仮に数秒〜１０秒未満（典型的には数秒）の遅れがあっても含まれる概念である。
【００４３】
判別結果に基づく情報は、画像データ、当該画像データに映っている硬貨の金種、画像データに映っている硬貨の合計金額、画像データに映っている硬貨の金種別枚数等が含まれていてもよい。登録装置３００の登録表示部３５１及び／又は客側表示部３５６では、判別結果に基づく情報に含まれている画像データ、当該画像データに映っている硬貨の金種、画像データに映っている硬貨の合計金額、画像データに映っている硬貨の金種別枚数等がリアルタイムで表示される。このため、顧客が吟味台１４ａに硬貨を足したり硬貨を取り除いたりすると、硬貨が足されたことや硬貨が取り除かれたこともリアルタイムで反映されて、登録装置３００の登録表示部３５１及び／又は客側表示部３５６では、画像データに映っている硬貨の金種、硬貨の合計金額、硬貨の金種別枚数等がリアルタイムで変化する。図５に示す態様では、登録表示部３５１及び／又は客側表示部３５６において、画像データ、当該画像データに映っている硬貨の金種である１００円及び５００円、画像データに映っている硬貨の合計金額である６００円、硬貨の金種別枚数（５００円硬貨が１枚及び１００円硬貨が１枚）がリアルタイムで表示されている。なお、図５に示す態様では、後述する紙幣処理装置２００の紙幣識別部２５０で計数された結果である３３０００円（図５では「釣銭機投入額」として示されている。）、売上金額である３３５５５円（図５では「現金お支払い金額」として示されている。）、預かり金額の合計金額である３３６００円（図５では「現金お預かり金額」として示されている。）、釣銭金額である４５円（図５では「おつり」として示されている。）も表示されている。
【００４４】
ちなみに、撮像部５０で画像データが常時取得されている必要はなく、例えば売上金額が確定した時点で撮像部５０によって画像データが取得され始め、取引の確定処理を行った時点で撮像部５０による画像データの取得が終了してもよい。このような態様によれば、無駄な画像データが記憶されることを防止することができる。
【００４５】
また、本実施の形態では、撮像部５０で取得された画像データがリアルタイムで取得されて、登録表示部３５１及び／又は客側表示部３５６で表示される態様を用いて説明するが、これに限られることはない。例えば、一定の間隔毎に断続的に画像データを取得するようにしてもよいし、また、操作者が後述する登録操作部３５２等から所定の入力（オン信号の入力）を行うことで撮像部５０において画像が取得され始め、操作者が登録操作部３５２等から所定の入力（オフ信号の入力）を行うことで撮像部５０における画像の取得が停止されてもよい。
【００４６】
また、上位制御部１０１は、硬貨の画像データに基づいて硬貨の合計金額を算出し、硬貨の合計金額と紙幣の合計金額から預かり金額を算出し、当該預かり金額に基づいて入力された売上金額に対する釣銭金額又は不足金額を算出してもよい。この場合にも、リアルタイムで釣銭金額又は不足金額が登録装置３００の登録表示部３５１及び／又は客側表示部３５６で表示されてもよい。このような態様によれば、釣銭金額又は不足金額に基づいて、顧客は硬貨を吟味台１４ａに追加したり硬貨を吟味台１４ａから取り除いたりすることができる。なお、図５における「おつり」（釣銭金額）はリアルタイムで変化するようになっており、仮に５円硬貨を吟味台１４ａ上に載置すると「おつり」は「５０円」となり、他方、仮に１００円硬貨を吟味台１４ａから取り除くと「おつり」は「−５５円」となり不足金額が表示されることとなる。なお、このように不足金額が表示される際には、「おつり」という表示ではなく「不足金額」といった預かり金額が不足していることを示す表示に切り替わってもよいし、赤色等の通常とは異なる色（強調色）で不足金額が表示されてもよい。
【００４７】
また、上位制御部１０１は、後述する登録操作部３５２等から入力された売上金額に基づいて吟味台１４ａに余分な硬貨が載置されているか否かをリアルタイムで判断してもよい。売上金額に基づいて吟味台１４ａに余分な硬貨が載置されている場合には、登録装置３００の登録表示部３５１及び／又は客側表示部３５６で余分な硬貨が吟味台１４ａに載置されていることがリアルタイムで表示され、一例としては余分な硬貨を円形状や四角形状等の所定の形状で取り囲むとともに、余分である旨を表示してもよい。ちなみに、売上金額に基づいて吟味台１４ａに余分な硬貨が載置されている場合というのは、売上金額が１１０円であるにも関わらず、吟味台１４ａに１枚の５００円硬貨と２枚の１０円硬貨が載置されているような場合であり、このときには１枚の１０円硬貨が余分な硬貨となる。すなわち、吟味台１４ａに載置された硬貨のうち、釣銭として払い出されうる硬貨が含まれている場合には、売上金額に基づいて吟味台１４ａに余分な硬貨が載置されていると判断されることになる。なお、上述した登録操作部３５２は、商品に印刷されたり貼り付けられたりしているバーコード情報を読み取るバーコードリーダを含んでいる。
【００４８】
上述したように、撮像部５０ではリアルタイムで画像が取得されているが、登録装置３００の登録操作部３５２等で確定処理する際には、撮像部５０で取得された画像データが静止画として上位記憶部１５５に記憶されてもよい。このように上位記憶部１５５で記憶された静止画は、周期的に又は取引が確定される度に、登録装置３００を介してサーバ４００へと送られ、サーバ４００のサーバ記憶部４０５（図４参照）で記憶されて管理されてもよい。なお、画像データの静止画は、取引日時、レジ番号、担当者、購入商品、売上金額、預かり金額、釣銭金額等の取引情報と関連付けされて、上位記憶部１５５やサーバ記憶部４０５等で記憶される。なお、一定の期間（例えば２４時間以内）であれば、撮像部５０で撮像された動画も上位記憶部１５５やサーバ記憶部４０５で記憶されていてもよい。この場合には、動画を用いて画像データに基づく硬貨の合計金額の算出経過を後で確認することができる。
【００４９】
画像データに基づいて算出された硬貨の合計金額について確定処理が受け付けられた後、硬貨制御部１０２は、硬貨識別部１５０による識別結果に基づいて硬貨受入部１１０で受け入れられた硬貨の合計金額を算出するようになっていてもよい。そして、撮像部５０で取得された画像データに基づいて算出された硬貨の合計金額と、硬貨識別部１５０による識別結果に基づいて算出された合計金額とを比較するようになっていてもよい。この場合には、撮像部５０で取得された画像データに基づいて算出された硬貨の合計金額と、硬貨識別部１５０による識別結果に基づいて算出された合計金額とが合致しない場合には、上位制御部１０１がその旨を出力するようにしてもよい。このように出力された情報に基づいて、登録表示部３５１に、撮像部５０で取得された画像データに基づいて算出された硬貨の合計金額と硬貨識別部１５０による識別結果に基づいて算出された合計金額とが合致しないことが表示（例えばアラーム表示）されてもよい。
【００５０】
ところで、画像データに基づいて算出された硬貨の合計金額について確定処理がなされることなく硬貨が硬貨処理装置１００の硬貨受入部１１０に投入されたとき（例えば、硬貨が吟味台上に載置されなかったり、載置されたが確定操作が行われなかった場合）には、上位制御部１０１は、「識別計数モード」に切り替わり、画像データに基づいて硬貨の合計金額を算出することなく、硬貨処理装置１００の硬貨識別部１５０による識別結果に基づいて算出された合計金額のみを用いて取引を行うようにしてもよい（図６参照）。図６に示す態様では、登録装置３００の登録表示部３５１及び／又は客側表示部３５６において、硬貨処理装置１００の硬貨識別部１５０で計数された結果である６００円と、紙幣処理装置２００の紙幣識別部２５０で計数された結果である３３０００円とが、「識別計数結果」として表示されている。また、図６に示す態様では、登録表示部３５１及び／又は客側表示部３５６において、画像データがリアルタイムで表示されていた領域には、画像計数されなかった旨のメッセージが表示されている。
【００５１】
ちなみに、このように画像データに基づいて算出された硬貨の合計金額について確定処理がなされることなく「識別計数モード」に切り替わる場合としては、硬貨の枚数がかなり多いことから吟味台１４ａ上に硬貨を分離して配置するのに時間がかかってしまう場合や画像データによる硬貨の合計金額の算出に対して精度上多少の不安がある場合、誤って操作者が硬貨受入部１１０内に硬貨を投入してしまった場合、撮像部５０の不具合等でそもそも画像データを取得できない場合、何らしかの不具合で画像データに基づいて各硬貨の金種を正確に識別できていない場合（図７参照）等を挙げることができる。
【００５２】
図７に示す態様では、吟味台１４ａ上で硬貨同士が接触したり部分的に重なって配置されているため、画像が正常な円形になっておらず、識別不能貨幣が発生している。また、識別不能貨幣が発生する要因としては、変色した硬貨やゲーム用コインが混入している場合も考えられる。これらの場合には、識別不能貨幣がある旨のメッセージが登録装置３００の登録表示部３５１、客側表示部３５６等で表示されてもよいし、登録装置３００の登録表示部３５１、客側表示部３５６等で識別不能貨幣の位置が所定の形状で囲まれて表示されてもよい。また、これらの場合には、吟味台１４ａ上の全ての硬貨を硬貨受入部１１０に投入するように促す表示が行われてもよいし、警告音が発されてもよい。画像データに基づいて算出された硬貨の合計金額について確定処理がなされることなく吟味台１４ａ上の全ての硬貨が硬貨受入部１１０に投入されることで、上位制御部１０１は、「識別計数モード」に切り替わり、硬貨処理装置１００の硬貨識別部１５０による識別結果に基づいて算出された合計金額のみを用いて取引が行われる（図６参照）。なお、識別不能貨幣が発生している場合には、吟味台１４ａ上で硬貨を並べ直すという対応や異常な硬貨を吟味台１４ａ上から取り除くという対応も考えられるが、吟味台１４ａ上の全ての硬貨を硬貨受入部１１０に投入することで、より素早く処理することが可能となり、客を待たせる時間を短縮できる。
【００５３】
上位制御部１０１は、画像データに基づいて算出された硬貨の合計金額について確定処理がなされることなく「識別計数モード」に切り替わって１回の取引を終えると、「画像計数モード」に自動的に設定が戻ってもよい。
【００５４】
上記では、撮像部５０で取得された画像データに基づいて吟味台１４ａ上の硬貨の合計金額を算出し、最終的には釣銭金額を算出する態様について説明したが、これに限られることはない。撮像部５０で取得された画像データに基づいて吟味台１４ａ上の硬貨の合計金額を算出し、当該合計金額を利用してＩＣカードや携帯電話等に対する電子マネーのチャージを行うようにしてもよい。ちなみに、吟味台１４ａにカードリーダ１７ａやカードリーダライタ１７ｂが組み込まれていてもよく（図４参照）、吟味台１４ａにＩＣカードや携帯電話等を載置することで、電子マネーによって支払いができるようにしてもよいし、ＩＣカードや携帯電話等に電子マネーのチャージを行うことができるようにしてもよい。
【００５５】
上記では、カメラ等からなる撮像部５０が硬貨筐体１０３の上面に載置されている態様を用いて説明したが、これに限られることはない。例えば、吟味台１４ａの載置面が透明になっている態様を採用した場合には、撮像部５０を吟味台１４ａの下方に載置し、透明な載置面を介して、吟味台１４ａ上に載置された硬貨の画像データを取得するようにしてもよい。また、シュート２０の途中にライン状のイメージセンサ（ラインセンサ）等からなる撮像部５０を載置し、シュート２０に沿って落下する硬貨の画像データを取得するようにしてもよい。
【００５６】
また、上述した吟味台１４ａは必ずしも必要ではなく、カウンターのテーブル、登録装置３００の置き台等の載置台（不図示）に硬貨を載置するようにし、撮像部５０は当該載置台１４ｂ上に載置された硬貨の画像データを取得するようにしてもよい。なお、このようにカウンターのテーブル等に硬貨を載置する場合には、撮像部５０で撮像可能な位置であり硬貨を載置すべき場所をシール、プリント、光線等によって分かるようにしてもよい。なお、カウンターのテーブル等のうち硬貨を載置すべき箇所は、顧客及びレジ係等の操作者の両者の手が届く箇所であって、視認できる箇所であることが望ましい。ちなみに、登録装置３００の置き台は登録操作部３５２の手前に位置していることが一般的である。ちなみに、吟味台１４ａ及び載置台（不図示）の両方が載置部１０に含まれている。
【００５７】
ところで、重複する記載となることから記載はしないが、吟味台１４ａ及び載置台（不図示）に関して述べたことは、当然のことながら、硬貨だけではなく紙幣にも採用することができる。
【００５８】
ところで、上述した態様とは異なり、硬貨受入部１１０に直接硬貨を載置し、当該硬貨の画像データを撮像部５０で取得するようにしてもよい。この場合には、硬貨受入部１１０は比較的大型になっており、硬貨受入部１１０に投入された各硬貨を１枚ずつ分離できるようになっていることが望ましい。
【００５９】
また、硬貨処理装置１００とは全く別の場所で、硬貨の画像データを取得するようにしてもよい。この場合には、複数の撮像部５０に対して１台の硬貨処理装置１００が設置されるようにしてもよく、硬貨処理装置１００をあくまでも硬貨の金種別枚数を再確認したり硬貨を保管したりするために用い、撮像部５０で撮像された画像データに基づいて、一般的な取引が行われるようにしてもよい。
【００６０】
また、硬貨筐体１０３上に直接硬貨を載置できるようにしてもよい。この場合には、硬貨筐体１０３上に載置された硬貨の画像データを撮像部５０で取得することとなる。この場合には、硬貨筐体１０３には硬貨を案内するための案内壁が設けられており、レジ係等の操作者が手によって硬貨筐体１０３上に載置された硬貨を滑らせるか、上述した押出部６０のような部材によって硬貨筐体１０３上に載置された硬貨を滑らせることで、硬貨受入部１１０に硬貨を投入するようにしてもよい。
【００６１】
なお、上位制御部１０１が「画像計数モード」に設定されている場合、上述したシャッタ１１５は、待機時から画像データに基づいて算出された硬貨の合計金額について確定処理がなされるまでの間、閉じられたままであってもよい。そして、上位制御部１０１が「識別計数モード」に設定される場合、画像データに基づいて算出された硬貨の合計金額について確定処理がなされた場合、または硬貨の補充のために強制的にシャッタ１１５を開ける旨の指令が入力された場合にのみ、シャッタ１１５が開くようにしてもよい。このような態様を採用することで、画像データに基づいて算出された硬貨の合計金額について確定処理がなされていないにも関わらず、誤って硬貨が硬貨受入部１１０内に落下することを防止することができる。
【００６２】
また、図１に示すようにシャッタ１１５は上面が平坦な形状となっており、当該シャッタ１１５上に硬貨を載置できるようになっていてもよい。そして、上位制御部１０１が「画像計数モード」に設定されており、待機時から画像データに基づいて算出された硬貨の合計金額について確定処理がなされるまでの間、シャッタ１１５は閉じられたままになっており、画像データに基づいて算出された硬貨の合計金額について確定処理がなされるとシャッタ１１５が開き、シャッタ１１５上に載置された硬貨が硬貨受入部１１０内に落下するようにしてもよい。この場合には、シャッタ１１５上に載置された硬貨を撮像できる位置に撮像部５０を載置すればよい。
【００６３】
《紙幣処理装置２００》
次に、本実施の形態の紙幣処理装置２００の構成について説明する。ちなみに、本実施の形態の紙幣処理装置２００は、スーパー、コンビニエンスストア、ショッピングモール、百貨店等の様々な場所で利用され、紙幣の入出金処理を行う紙幣釣銭機となっている。ところで、紙幣処理装置２００としてはこのような紙幣釣銭機には限られることはなく、例えば紙幣入金機、紙幣出金機、券売機、自動販売機等も含まれる。
【００６４】
図２に示すように、紙幣処理装置２００は、略直方体形状の紙幣筐体２０３と、紙幣を紙幣筐体２０３の外部から入金するための紙幣受入部２１０と、紙幣受入部２１０から入金された紙幣を搬送する紙幣搬送部２２０と、紙幣受入部２１０から入金された紙幣の金種等を識別して計数する紙幣識別部２５０と、紙幣搬送部２２０で搬送された紙幣を収納するとともに収納された紙幣を繰り出す紙幣収納部２６０と、リジェクト紙幣や紙幣収納部２６０に収納されていた紙幣を出金するための紙幣払出部２９０と、を備えている。なお、紙幣搬送部２２０は、図２に示すように、紙幣筐体２０３内の略中央部に設けられた環状の周回搬送部２２０ａと、紙幣受入部２１０、紙幣収納部２６０、紙幣払出部２９０等と、周回搬送部２２０ａとの間をそれぞれ接続する複数の接続搬送部２２０ｂとを有している。ちなみに、周回搬送部２２０ａに紙幣識別部２５０が設けられている。また、本実施の形態の紙幣収納部２６０は金種別に紙幣を収納する３つの金種別紙幣収納部２６１（２６１ａ，２６１ｂ，２６１ｃ）を有している。
【００６５】
紙幣受入部２１０は、紙幣が入金されると自動で又は操作表示部１５２、ボタン式操作部１５３、登録操作部３５２等からの入力信号を受けて駆動されて当該紙幣を紙幣筐体２０３内に繰り出す入金紙幣操出部（図示せず）を有している。また、紙幣収納部２６０は、必要に応じて紙幣収納部２６０から紙幣を繰り出す出金紙幣繰出部（図示せず）を有している。
【００６６】
また、図２に示すように、紙幣搬送部２２０には、回収処理を行う際に紙幣収納部２６０から繰り出された紙幣を収納する紙幣回収カセット２３５が連結されている。なお、紙幣識別部２５０で識別された紙幣の金種を収納するための紙幣収納部２６０がフル（満杯）状態又はニアフル（ほぼ満杯）状態である場合には、この紙幣はオーバーフロー紙幣として、紙幣回収カセット２３５に収納されてもよい。
【００６７】
また、図２に示すように、紙幣搬送部２２０には、紙幣収納部２６０から繰り出された紙幣が紙幣識別部２５０によって識別できない場合（２枚送りや斜行等の搬送エラーが原因のことが多い）に、当該紙幣（出金リジェクト紙幣）を収納する出金紙幣リジェクト部２３０が連結されている。
【００６８】
紙幣処理装置２００の各金種に関する在高は、対象となる金種別紙幣収納部２６１に収納された紙幣の枚数から当該金種別紙幣収納部２６１から繰り出された紙幣の枚数を差し引くことで算出可能となる。ちなみに、各金種別紙幣収納部２６１に対応して設けられた検知センサ２２５からの情報に基づいて対象となる金種別紙幣収納部２６１内に紙幣が収納されたことが検出され、他方、当該検知センサ２２５からの情報に基づいて対象となる金種別紙幣収納部２６１から紙幣が繰り出されたことが検出される。
【００６９】
また、図２に示すように、検知センサ２２５は、出金紙幣リジェクト部２３０及び紙幣回収カセット２３５の各々に対応するようにも設けられており、当該検知センサ２２５からの情報に基づいて、出金紙幣リジェクト部２３０及び紙幣回収カセット２３５の各々に収納されている紙幣の枚数も検出できるようになっている。ちなみに、本実施の形態では、紙幣受入部２１０及び紙幣払出部２９０にも対応して検知センサ２２５が設けられている。紙幣受入部２１０に対応して設けられた検知センサ２２５は紙幣受入部２１０で受け入れられた紙幣が当該検知センサ２２５を通過したかを検知するために用いられる。また、紙幣払出部２９０に対応して設けられた検知センサ２２５は紙幣払出部２９０から払い出されるべき紙幣が当該検知センサ２２５を通過したかを検知するために用いられる。
【００７０】
図４に示すように、紙幣処理装置２００の紙幣制御部２０２には、インターフェース２３２、紙幣受入部２１０、紙幣搬送部２２０、出金紙幣リジェクト部２３０、紙幣識別部２５０、紙幣収納部２６０、紙幣払出部２９０、紙幣記憶部２０５、検知センサ２２５等がそれぞれ接続されている。そして、紙幣制御部２０２は、紙幣受入部２１０、紙幣搬送部２２０、出金紙幣リジェクト部２３０、紙幣識別部２５０、紙幣収納部２６０、紙幣払出部２９０、紙幣記憶部２０５、検知センサ２２５等と信号の送受信を行い、これらを制御するように構成されている。なお、以下の紙幣処理装置２００の説明において、紙幣処理装置２００の制御を主に紙幣制御部２０２が行う態様を用いるが、このような態様に限られることはなく、紙幣制御部２０２ではなく、上位制御部１０１、硬貨制御部１０２及び登録制御部３０２のいずれか１つ以上の制御部が紙幣処理装置２００の制御を行ってもよい。
【００７１】
ところで、上位制御部１０１が画像計数モードに設定されている場合には、撮像部５０で取得された所定の場所に載置された紙幣の画像データに基づいて、紙幣の合計金額を算出し、当該紙幣の合計金額に硬貨の合計金額を加算することで預かり金額の合計金額を算出するようにしてもよい。
【００７２】
各紙幣の金種を判別する場合には、上位制御部１０１が、画像データ上の紙幣面に印刷された金額情報、例えば「１０００」、「５０００」、「１０００」等を判別すればよい。なお、紙幣を所定の場所に載置する場合には、例えば紙幣が扇状に載置されるようにしてもよい。また、紙幣を載置するための専用の吟味台や載置台を設けてもよいし、同じ吟味台又は載置台の中で、紙幣を載置する部分と硬貨を載置する部分とを分けて設けてもよい。
【００７３】
また、上位制御部１０１は、撮像部５０で取得された所定の場所に載置された紙幣の画像データに基づいて、紙幣の記番号を判別するようにしてよい。このように紙幣の記番号が判別された場合には、当該記番号は、登録装置３００を介してサーバ４００に送られ、サーバ記憶部４０５で記憶されて管理されてもよい。また、上位制御部１０１で紙幣の記番号が判別されると、サーバ記憶部４０５に予め記憶されている偽札の記番号や盗難紙幣の記番号といったブラックリスト上の記番号と照合されて、照合した結果、ブラックリストに載っている記番号である場合にはその旨が登録装置３００の登録表示部３５１に表示されるようにしてもよい。
【００７４】
また、上述したような紙幣に関する情報だけではなく、上位制御部１０１は、撮像部５０で取得された紙葉類やカードの画像データに基づいて、当該紙葉類やカードの情報を取得するようにしてもよい。例えば、商品券の金額情報、クーポン券の割引情報、会員カードの会員番号等を、撮像部５０で取得された画像データに基づいて取得してもよい。
【００７５】
本実施の形態の紙幣に関しても、硬貨に関して述べたのと同様の態様を採用することができる。以下では、重複する記載となるから適宜省略しつつ説明する。
【００７６】
本実施の形態では、上位制御部１０１が、撮像部５０で取得された、所定の場所に載置された紙幣の画像データに基づいて、顧客が支払った紙幣の合計金額を算出するようになっていてもよい。そして、上位制御部１０１は、上位制御部１０１が算出した紙幣の合計金額と、同じく上位制御部１０１が硬貨の画像データに基づいて算出した硬貨の合計金額とを足し合わせて預かり金額とし、当該預かり金額と登録装置３００等から入力された売上金額とから釣銭金額を算出してもよい。なお、硬貨の合計金額に関しては、画像データに基づいて算出されることなく、硬貨識別部１５０による識別結果に基づいて算出されてもよい。
【００７７】
上位制御部１０１は、撮像部５０で取得された画像データに基づいて、上述したように紙幣面に印刷された金額情報や、場合によっては紙幣の大きさ、紙幣の色等によって、各紙幣の金種を判別するようになっていてもよい。また、紙幣の両面の模様を上位記憶部１５５等が記憶しており、上位制御部１０１は、上位記憶部１５５等で記憶されている模様と画像データ中の模様とを比較することで、画像データ中の紙幣の各々の金種を判別してもよい。このように金種が判別されると、判別した金種別枚数を合計することで紙幣の合計金額を算出することができる。
【００７８】
撮像部５０ではリアルタイムで画像データが取得されている。そして、上位制御部１０１は、撮像部５０によりリアルタイムで取得される画像データに基づいて、画像データ内の紙幣の金種をリアルタイムで判別し、判別結果に基づく情報を登録装置３００の登録表示部３５１及び／又は客側表示部３５６にリアルタイムで出力している。この判別結果に基づく情報は、画像データ、当該画像データに映っている紙幣の金種、画像データに映っている紙幣の合計金額、画像データに映っている紙幣の金種別枚数等が含まれていてもよい。登録装置３００の登録表示部３５１及び／又は客側表示部３５６では、画像データ、当該画像データに映っている紙幣の金種、画像データに映っている紙幣の合計金額、画像データに映っている紙幣の金種別枚数等がリアルタイムで表示される。このため、顧客が所定の場所である載置部１０に紙幣を足したり紙幣を取り除いたりすると、紙幣が足されたことや紙幣が取り除かれたこともリアルタイムで反映されて、登録装置３００の登録表示部３５１及び／又は客側表示部３５６では、画像データに映っている紙幣の金種、紙幣の合計金額、紙幣の金種別枚数等がリアルタイムで変化する。
【００７９】
また、上位制御部１０１は、紙幣の画像データに基づいて紙幣の合計金額を算出し、硬貨の合計金額と紙幣の合計金額から預かり金額を算出し、当該預かり金額に基づいて入力された売上金額に対する釣銭金額又は不足金額を算出してもよい。この場合にも、リアルタイムで釣銭金額又は不足金額が登録装置３００の登録表示部３５１及び／又は客側表示部３５６で表示され、釣銭金額又は不足金額に基づいて、顧客は紙幣を所定の場所である載置部１０に追加したり紙幣を載置部１０から取り除いたりすることができる。
【００８０】
また、上位制御部１０１は、売上金額に基づいて載置部１０に余分な紙幣が載置されているか否かをリアルタイムで判断してもよい。そして、売上金額に基づいて載置部１０に余分な紙幣が載置されている場合には、登録装置３００の登録表示部３５１及び／又は客側表示部３５６で余分な紙幣が載置部１０に載置されていることが表示され、一例としては余分な紙幣を所定の形状で取り囲むとともに、余分である旨を表示してもよい。ちなみに、売上金額に基づいて載置部１０に余分な紙幣が載置されている場合というのは、上述した硬貨の場合と同様、載置部１０に載置された紙幣のうち、釣銭として払い出されうる紙幣が含まれている場合には、売上金額に基づいて載置部１０に余分な紙幣が載置されていると判断されることになる。
【００８１】
また、載置部１０で紙幣が重なって配置されて紙幣の金額情報が隠れてしまっており、紙幣の金種を判別することができない場合には、登録装置３００の登録表示部３５１、客側表示部３５６等の報知部でその旨が報知されてもよい。この場合には、紙幣が重なっている旨のメッセージが登録装置３００の登録表示部３５１、客側表示部３５６等で表示されてもよいし、登録装置３００の登録表示部３５１、客側表示部３５６等で紙幣が重なっている箇所が所定の形状で囲まれて表示されてもよい。
【００８２】
画像データに基づいて算出された紙幣の合計金額について確定処理が受け付けられた後、紙幣制御部２０２は、紙幣識別部２５０による識別結果に基づいて紙幣受入部２１０で受け入れられた紙幣の合計金額を算出するようになっていてもよい。そして、撮像部５０で取得された画像データに基づいて算出された紙幣の合計金額と、紙幣識別部２５０による識別結果に基づいて算出された合計金額とを比較するようになっていてもよい。そして、撮像部５０で取得された画像データに基づいて算出された紙幣の合計金額と、紙幣識別部２５０による識別結果に基づいて算出された合計金額とが合致しない場合には、上位制御部１０１がその旨を出力するようにしてもよい。このように出力された情報に基づいて、登録装置３００の登録表示部３５１及び／又は客側表示部３５６に、撮像部５０で取得された画像データに基づいて算出された紙幣の合計金額と紙幣識別部２５０による識別結果に基づいて算出された合計金額とが合致しないことが表示（例えばアラーム表示）されてもよい。この際、登録表示部３５１及び／又は客側表示部３５６は、画像データに基づいて算出された紙幣の合計金額、紙幣識別部２５０による識別結果に基づいて算出された合計金額、画像データに基づいて算出された紙幣の合計金額と紙幣識別部２５０による識別結果に基づいて算出された合計金額との差分等を表示してもよい。
【００８３】
ところで、画像データに基づいて算出された紙幣の合計金額について確定処理がなされることなく紙幣が紙幣処理装置２００の紙幣受入部２１０で受け入れられたとき（例えば、紙幣が吟味台上に載置されなかったり、載置されたが確定操作が行われなかった場合）には、上位制御部１０１は、「識別計数モード」に切り替わり、画像データに基づいて紙幣の合計金額を算出することなく、紙幣処理装置２００の紙幣識別部２５０による識別結果に基づいて算出された合計金額のみを用いてもよい。
【００８４】
なお、紙幣に関しても、撮像部５０で取得された画像データに基づいて載置部１０に載置された紙幣の合計金額を算出し、当該合計金額を利用してＩＣカードや携帯電話等に対する電子マネーのチャージを行うようにしてもよい。
【００８５】
カメラ等からなる撮像部５０は、紙幣が載置される載置部１０を上方から撮像してもよいが、紙幣が載置される載置部１０の載置面が透明になっている態様を採用した場合には、撮像部５０を載置面の下方に載置し、透明な載置面を介して、載置部１０に載置された紙幣の画像データを取得するようにしてもよい。
【００８６】
また、紙幣処理装置２００とは全く別の場所で、紙幣の画像データを取得するようにしてもよい。この場合には、複数の撮像部５０に対して１台の紙幣処理装置２００が設置されるようにしてもよく、紙幣処理装置２００をあくまでも紙幣の金種別枚数を再確認したり紙幣を保管したりするために用い、撮像部５０で撮像された画像データに基づいて、一般的な取引が行われるようにしてもよい。
【００８７】
《登録装置３００》
次に、本実施の形態の登録装置３００の構成について説明する。登録装置３００の代表的な例はＰＯＳレジスタやテラーズマシンである。この登録装置３００では、商品の購入情報を登録したり、売上金額の算出、顧客から受け取った受取金額の算出及び釣銭金額の算出を行ったり、硬貨処理装置１００や紙幣処理装置２００に対して指令を入力して、釣銭の支払いを行わせたりするようになっている。なお、登録装置３００は、硬貨処理装置１００や紙幣処理装置２００に対して指令を入力して、硬貨や紙幣の精査処理、回収処理等を行わせるようになっていてもよい。
【００８８】
図４に示すように、登録装置３００の登録制御部３０２は、硬貨処理装置１００の上位制御部１０１に通信接続されるとともに、サーバ４００にも通信接続されている。そして、この登録制御部３０２は、硬貨処理装置１００の上位制御部１０１を介して硬貨制御部１０２及び紙幣制御部２０２に指令を送り、この結果、硬貨処理装置１００に対して硬貨の入金処理、出金処理、精査処理、回収処理等を行わせ、紙幣処理装置２００に対して紙幣の入金処理、出金処理、精査処理、回収処理等を行わせるようになっている。また、登録制御部３０２は、硬貨制御部１０２及び紙幣制御部２０２から、上位制御部１０１を介して、硬貨制御部１０２及び紙幣制御部２０２における硬貨及び紙幣の処理状況や在高に係る情報を受け取るようになっている。
【００８９】
図１に示すように、登録装置３００は、レジ係等の操作者が操作することのできる登録操作部３５２と、商品の取引状況、硬貨処理装置１００における硬貨の処理状況、紙幣処理装置２００における紙幣の処理状況、硬貨処理装置１００の内部に収納された硬貨の在高、紙幣処理装置２００の内部に収納された紙幣の在高等を表示する登録表示部３５１と、を備えている。そして、操作者は、登録操作部３５２を介して登録制御部３０２（図５参照）に対して様々な指令を与えることができるようになっている。ちなみに、本実施の形態では登録表示部３５１は単に情報を表示するものとして説明するが、これに限られることはなく、登録表示部３５１はタッチパネル等からなり、登録操作部３５２としての機能を果たしてもよい。
【００９０】
なお、登録装置３００は、クレジットカードや操作者のＩＤカード等の各種カードを読み取るカードリーダ３６０と、プリンタ等からなる印刷部３７０も有している。なお、登録表示部３５１で表示されるあらゆる情報や登録記憶部３０５で記憶されているあらゆる情報は、当該印刷部３７０で印字することができるようになっている。なお、カードリーダ３６０では、ＩＣカード、タグ、携帯電話等の媒体に記録され情報を読み取ることができてもよい。
【００９１】
図４に示すように、登録装置３００の登録制御部３０２には、客側表示部３５６、カードリーダ３６０、プリンタ等からなる印刷部３７０、登録表示部３５１、登録操作部３５２、登録記憶部３０５、インターフェース３３２等がそれぞれ接続されている。そして、登録制御部３０２は、客側表示部３５６、カードリーダ３６０、印刷部３７０、登録表示部３５１、登録操作部３５２、登録記憶部３０５、インターフェース３３２等と信号の送受信を行い、これらを制御するように構成されている。
【００９２】
ところで、本実施の形態の貨幣処理装置は音声認識部３０を有していてよい。このような場合には、例えばレジ係等の操作者が口頭で発した預かり金額に関する情報（「○○円、お預かりします。」）が音声認識部３０で認識され、その認識結果と、画像データに基づいて算出された硬貨の合計金額及び／又は紙幣の合計金額等に基づいて算出された預かり金額の合計金額とが合致しているかが照合されてもよい。また、音声認識部３０で認識された預かり金額に関する情報が、画像データに基づいて算出された硬貨の合計金額及び／又は紙幣の合計金額等に基づいて算出された預かり金額の合計金額と合致していない場合には、登録装置３００の登録表示部３５１、客側表示部３５６等の報知部でその旨が報知されてもよい。
【００９３】
なお、上位記憶部１５５、硬貨記憶部１０５、紙幣記憶部２０５、登録記憶部３０５及びサーバ記憶部４０５の他にも、外部装置に外部記憶部（図示せず）が設けられていてもよい。また、上位制御部１０１、硬貨制御部１０２、紙幣制御部２０２及び登録制御部３０２の他にも、外部装置に外部制御部（図示せず）が設けられていてもよい。また、操作表示部１５２、ボタン式操作部１５３及び登録操作部３５２の他にも、外部装置に外部操作部（図示せず）が設けられていてもよい。また、操作表示部１５２、登録表示部３５１及び客側表示部３５６の他にも、外部装置に外部表示部（図示せず）が設けられていてもよい。
【００９４】
ちなみに、本実施の形態では、上位記憶部１５５、硬貨記憶部１０５、紙幣記憶部２０５、登録記憶部３０５、サーバ記憶部４０５及び外部記憶部のいずれか一つで果たされる機能は、上位記憶部１５５、硬貨記憶部１０５、紙幣記憶部２０５、登録記憶部３０５、サーバ記憶部４０５及び外部記憶部の別の一つで果たされてもよい。また、上位制御部１０１、硬貨制御部１０２、紙幣制御部２０２、登録制御部３０２及び外部制御部のいずれか一つで果たされる機能は、上位制御部１０１、硬貨制御部１０２、紙幣制御部２０２、登録制御部３０２及び外部制御部の別の一つで果たされてもよい。また、操作表示部１５２、ボタン式操作部１５３、登録操作部３５２及び外部操作部のいずれか一つで果たされる機能は、操作表示部１５２、ボタン式操作部１５３、登録操作部３５２及び外部操作部の別の一つで果たされてもよい。また、操作表示部１５２、登録表示部３５１、客側表示部３５６及び外部表示部のいずれか一つで果たされる機能は、操作表示部１５２、登録表示部３５１、客側表示部３５６及び外部表示部の別の一つで果たされてもよい。
【００９５】
以下では、上位記憶部１５５、硬貨記憶部１０５、紙幣記憶部２０５、登録記憶部３０５、サーバ記憶部４０５及び外部記憶部のいずれか一つ以上を示す用語として「記憶部５０５」を用いる。また、上位制御部１０１、硬貨制御部１０２、紙幣制御部２０２、登録制御部３０２及び外部制御部のいずれか一つ以上を示す用語として「制御部５０２」を用いる。また、操作表示部１５２、ボタン式操作部１５３、登録操作部３５２及び外部操作部のいずれか一つ以上を示す用語として「操作部５５２」を用いる。また、操作表示部１５２、登録表示部３５１、客側表示部３５６及び外部表示部のいずれか一つ以上を示す用語として「表示部５５１」を用いる。
【００９６】
《方法》
次に、図８及び図９を参照して、本実施の形態の貨幣処理システムを用いた貨幣処理方法について説明する。以下では、一例として、硬貨に関しては、吟味台１４ａに載置された硬貨の画像データに基づいてその合計金額を算出する「画像計数モード」と、硬貨識別部１５０による識別結果に基づいてその合計金額を算出する「識別計数モード」と、を選択的に実行し、紙幣に関しては、紙幣識別部２５０によって識別計数された結果に基づいてその合計金額を算出する態様を用いて説明する。しかしながら、これに限られることはなく、例えば、紙幣に関しても、所定の場所に載置された紙幣の画像データに基づいてその合計金額を算出する「画像計数モード」と、紙幣識別部２５０による識別結果に基づいてその合計金額を算出する「識別計数モード」と、を選択的に実行するようにしてもよいし、硬貨に関して硬貨識別部１５０によって識別計数された結果に基づいてその合計金額を算出するとともに紙幣に関して所定の場所に載置された紙幣の画像データに基づいてその合計金額を算出する「画像計数モード」と、紙幣識別部２５０による識別結果に基づいてその合計金額を算出する「識別計数モード」と、を選択的に実行するようにしてもよい。
【００９７】
まず、商品に印刷されたり貼り付けられたりしているバーコード情報等が登録操作部３５２に含まれるバーコードリーダ（読取部）で読み取られて、商品の登録が行われる（図８（ａ）参照）。その結果、顧客が購入した商品の売上金額が算出されて（図８（ａ）では「商品額入力」として示されている。）、例えば小計ボタンが押下されて最終的な売上金額が確定される（図８（ａ）参照：図８（ａ）では「小計押下」として示されている。）。なお、図８（ａ）−（ｄ）において、矢印の終端は、操作者が行った操作に対して、対応する処理を行う部材や対応する処理が行われる部材を示している。
【００９８】
次に、顧客が売上金額に対応した貨幣を支払う。この際、硬貨は顧客又はレジ係等の操作者によって吟味台１４ａ上に載置される（図８（ａ）参照）。このように硬貨が吟味台１４ａ上に載置されると、操作者や顧客等が硬貨を吟味台１４ａに沿ってならすことで、各硬貨が分離されることになる。制御部５０２は、「識別計数モード」に切り替わる条件に該当するか否かを判断する（図９のステップＳ６０１）。「識別計数モード」に切り替わる条件に該当する場合としては、硬貨の枚数がかなり多いことから吟味台１４ａ上に硬貨を分離して配置するのに時間がかかってしまう場合や画像データによる硬貨の合計金額の算出に対して精度上多少の不安がある場合、誤って操作者が硬貨受入部１１０内に硬貨を投入してしまった場合、撮像部５０の不具合等でそもそも画像データを取得できない場合、何らしかの不具合で画像データに基づいて各硬貨の金種を正確に識別できていない場合等を挙げることができる。
【００９９】
制御部５０２が「識別計数モード」に切り替わる条件に該当しない（Ｎｏ）と判断した場合には、撮像部５０で撮像された画像データに基づいて預かり金額の合計金額を算出する「画像計数モード」が実行される（図９のステップＳ６０２）。すなわち、吟味台１４ａ上に載置された硬貨の画像データが撮像部５０によってリアルタイムで取得される（図８（ｂ）参照）。そして、制御部５０２は、当該画像データに基づいて、画像データ内の硬貨の金種をリアルタイムで判別し、判別結果に基づく情報を登録装置３００の登録表示部３５１及び客側表示部３５６にリアルタイムで出力する。この判別結果に基づく情報には、例えば、画像データ、当該画像データに映っている硬貨の金種、画像データに映っている硬貨の合計金額、画像データに映っている硬貨の金種別枚数、画像データに映っている硬貨の合計金額と紙幣の合計金額とを合算した預かり金額、釣銭金額又は不足金額等が含まれている。なお、紙幣の合計金額及び預かり金額は、紙幣識別部２５０による識別結果が算出された時点で表示されるようにしてもよい。
【０１００】
他方、制御部５０２が「識別計数モード」に切り替わる条件に該当する（Ｙｅｓ）と判断した場合には、吟味台１４ａ上の全ての硬貨が硬貨処理装置１００の硬貨受入部１１０に投入され、硬貨識別部１５０による識別結果に基づいて預かり金額の合計金額を算出する「識別計数モード」が実行される（図９のステップＳ６０３）。吟味台１４ａ上の硬貨を硬貨受入部１１０に投入する際には、シュート２０がある場合には、シュート２０に沿って硬貨を流せばよい。その他の変形例については、「構成」で述べたとおりであるので、ここでは省略する。
【０１０１】
次に、顧客から差し出された紙幣が、レジ係等の操作者によって紙幣処理装置２００の紙幣受入部２１０に投入され、その後、紙幣筐体２０３内に繰り出される（図８（ｂ）参照）。そして、このように紙幣筐体２０３内に紙幣が繰り出されると、紙幣搬送部２２０によって当該紙幣は搬送されつつ紙幣識別部２５０によってその金種が識別されて、顧客から差し出された紙幣の合計金額が算出される（図９のステップＳ６０４）。なお、紙幣搬送部２２０によって搬送された紙幣はリジェクト紙幣でない限り紙幣収納部２６０まで搬送されて、当該紙幣収納部２６０内に収納されることとなる。
【０１０２】
預かり金額に問題がないようであれば、操作者が操作部５５２から取引を確定する旨の入力を行う（図８（ｃ）参照：図８（ｃ）では「現計押下」として示されている。）。この際、操作者が登録操作部３５２から取引を確定する旨の入力を行ってもよいが、客側表示部３５６がタッチパネル等からなっている場合には、顧客が当該客側表示部３５６の確認ボタンを押下することで取引を確定する旨の入力を行ってもよい。
【０１０３】
このように取引を確定する旨の入力が行われると、顧客からの預かり金額の合計金額が確定する。制御部５０２は、入力された売上金額と算出した預かり金額の合計金額とから釣銭金額を算出する（図９のステップＳ６０５）。この結果、制御部５０２は、釣銭有りか否かを判断し（図９のステップＳ６０６）、必要な場合には、硬貨処理装置１００及び／又は紙幣処理装置２００から釣銭が出金される（図９のステップＳ６０７）。このように釣銭が出金される場合には、レジ係等の操作者が当該釣銭を硬貨処理装置１００及び／又は紙幣処理装置２００から抜き取り（図１５（ｃ）参照）、顧客に手渡すことで取引が終了する。
【０１０４】
「画像計数モード」を実行して硬貨の合計金額を算出した場合には、顧客との取引が終了した後で、吟味台１４ａ上の硬貨が硬貨処理装置１００の硬貨受入部１１０に投入され（図１５（ｄ）参照）、その後、硬貨筐体１０３内に繰り出される。そして、このように硬貨筐体１０３内に硬貨が繰り出されると、入金硬貨搬送部１２０によって当該硬貨は搬送されつつ硬貨識別部１５０によってその金種が識別されて、その合計金額が算出される。なお、入金硬貨搬送部１２０によって搬送された硬貨はリジェクト硬貨でない限り硬貨収納部１６０まで搬送されて、当該硬貨収納部１６０内に収納されることとなる。
【０１０５】
そして、撮像部５０で取得された画像データに基づいて算出された硬貨の合計金額と、硬貨識別部１５０による識別結果に基づいて算出された合計金額とが合致する場合には、そのまま、当該取引に関する処理は終了される。
【０１０６】
他方、撮像部５０で取得された画像データに基づいて算出された硬貨の合計金額と、硬貨識別部１５０による識別結果に基づいて算出された合計金額とが合致しない場合には、制御部５０２がその旨を出力するようにしてもよい。このように出力された情報に基づいて、登録表示部３５１、客側表示部３５６等を含む報知部で、撮像部５０で取得された画像データに基づいて算出された硬貨の合計金額と硬貨識別部１５０による識別結果に基づいて算出された合計金額とが合致しないことが報知されてもよい。
【０１０７】
重複する記載となるため省略したが、上記では述べていない内容であっても「構成」で述べた内容を「方法」に適宜採用することができる点には留意が必要である。
【０１０８】
《効果》
次に、上述した構成からなる本実施の形態によって達成される効果であって、まだ述べていない効果又はとりわけ重要な効果について説明する。
【０１０９】
本実施の形態では、制御部５０２が、撮像部５０で撮像された画像データに基づいて預かり金額の合計金額を算出する「画像計数モード」と、識別部（硬貨識別部１５０又は紙幣識別部２５０）による識別結果に基づいて預かり金額の合計金額を算出する「識別計数モード」と、を選択的に実行し、入力された売上金額と算出した前記預かり金額の合計金額とから釣銭金額を算出する。この点、撮像部５０で取得された画像データに基づいて貨幣（つまり硬貨、紙幣又は硬貨及び紙幣の両方）の合計金額を算出する（すなわち、画像計数モードを実行する）場合には、即座にその合計金額を算出して貨幣の出金処理を優先して行うことができるため、顧客を待たせる時間を短くすることができる。他方、硬貨識別部１５０又は紙幣識別部２５０による識別結果に基づいて預かり金額の合計金額を算出する（すなわち、識別計数モードを実行する）場合には、入金金額を正確に算出することができ、釣銭金額に間違いが発生する可能性を低く抑えることができる。よって、画像計数モードと識別計数モードとを適切な条件で切り替えることで、顧客の満足度を高めることが可能である。
【０１１０】
ちなみに、硬貨に関しては１回の取引において支払う枚数が多い傾向にあり、また硬貨が入金時に硬貨受入部１１０内で暴れてしまい取り込まれるまでに時間が掛かることがあるのに対して、紙幣に関しては支払う枚数が少ない傾向にあり、また紙幣が入金時に紙幣受入部２１０内で暴れてしまうことはないことから、画像計数モードにおいて、画像データに基づいて硬貨の合計金額を算出する態様の方が、画像データに基づいて紙幣の合計金額を算出する態様よりも有益である。但し、画像データに基づいて紙幣の合計金額を算出しても当然よく、画像データに基づいて硬貨の合計金額と紙幣の合計金額の両方を算出しても当然よい。
【０１１１】
また、本実施の形態において、制御部５０２は、「画像計数モード」に設定されている場合において受入部１１０に貨幣が投入されたり識別不能貨幣が発生したりすると「識別計数モード」に切り替わるため、特許文献２の貨幣処理装置において受入部に貨幣が投入された場合や識別不能貨幣が発生した場合のように、速やかな取引を行うことができなくなって顧客に迷惑を掛けてしまうことがない。
【０１１２】
また、本実施の形態において、制御部５０２は「識別計数モード」に切り替わって１回の取引を終えると「画像計数モード」に戻るため、「識別計数モード」が誤って継続してしまって次の顧客を待たせてしまうことを防止できる。
【０１１３】
また、本実施の形態において、受入部には開閉可能なシャッタ１１５が設けられ、シャッタ１１５は、制御部５０２が「識別計数モード」に設定される場合に開放されるため、「画像計数モード」に設定されている場合において、画像データに基づいて算出された貨幣の合計金額について確定処理がなされていないにも関わらず、誤って硬貨が硬貨受入部１１０内に落下することを防止することができる。
【０１１４】
また、本実施の形態において、画像データに基づいて各貨幣の金種を判別する態様を採用した場合には、所定の場所に載置された貨幣の各々に関する金種を判別することができるので、正確な合計金額を算出することができる。
【０１１５】
また、上述した「所定の場所」として吟味台１４ａを採用した場合には、顧客に対して貨幣を載置すべき場所を直感的に理解させることができる。このため、画像データに基づいて貨幣の合計金額を算出する際の効率を高めることができる。
【０１１６】
また、撮像部５０で取得された画像データを表示部５５１によって表示する態様を採用した場合には、映し出された画像データに基づいて、操作者や顧客に対して様々な情報を提供することができる。一例として、表示部５５１が画像データに映し出された各貨幣に対して判断された金種を表示してもよく、この場合には、画像データに映し出された各貨幣の金種に対する判別が合っているか否かを操作者や顧客が一目で確認することができる。また、別の例としては、表示部５５１が画像データに映し出された貨幣に対して判断された合計金額を表示してもよく、この場合には、画像データに映し出された貨幣に対して判断された合計金額を操作者や顧客が一目で確認することができる。
【０１１７】
なお、操作者が利用するための登録表示部３５１と顧客が利用するための客側表示部３５６とが設けられている場合には、操作者だけでなく顧客にも画像データに基づく情報を提供することができる。このため、例えば顧客も納得したうえで画像データに基づいて算出された貨幣の合計金額を確定することができる。
【０１１８】
貨幣の画像データに基づいて当該貨幣の金種をリアルタイムで判別し、判別結果に基づく情報を表示部５５１にリアルタイムで出力する態様によれば、例えば、画像データに映し出されている貨幣の金種をリアルタイムで把握することができ、画像データに基づいて合計金額が確定される前にその状況を操作者や顧客が把握することができる。
【０１１９】
また、貨幣の画像データに基づいて預かり金額の合計金額をリアルタイムで算出し、入力された売上金額と算出した預かり金額の合計金額とから釣銭金額又は不足金額をリアルタイムで算出する態様を採用した場合には、例えば、支払われた貨幣に基づいてリアルタイムに釣銭金額又は不足金額を表示部５５１で表示させることができる。仮に客側表示部３５６で釣銭金額又は不足金額がリアルタイムで表示されている場合には、後いくら出せば釣銭をまるめられるか（自身が受け取る釣銭の枚数を減らすことができるのか）、売上金額以上を支払うには後いくら以上の貨幣を出せばよいのか等を顧客に直感的に把握させることができる。また、このような態様によれば、自己が貨幣を支払い過ぎていることや、誤った金種の貨幣を支払っていることを顧客に気づかせることもできる。
【０１２０】
とりわけ、判別結果に基づく情報が画像データに映し出された各貨幣に対して判別された金種を含む場合には、画像データ中の各貨幣の金種に対する判別が合っているか否かをリアルタイムで操作者や顧客が確認することができる。判別結果に基づく情報が画像データに映し出された貨幣の合計金額を含む場合には、画像データ中の貨幣の合計金額をリアルタイムで操作者や顧客が確認することができる。ちなみに、判別された金種に関しては、画像データ上の貨幣と重ね合わせて表示させてもよいし、画像データ上の貨幣に近接させた位置に表示させてもよい（図５参照）。
【０１２１】
また、判別結果に基づく情報が画像データを含む場合には、画像データを見ながら、画像データ中の各貨幣の金種に対する判別が合っているか否かをリアルタイムで操作者や顧客が確認したり、画像データ中の貨幣の合計金額をリアルタイムで操作者や顧客が確認したりすることができる。
【０１２２】
また、硬貨に関して撮像部５０で取得された画像データに基づいて硬貨の合計金額を算出する場合において、画像データに基づいて算出された硬貨の合計金額について確定処理が受け付けられた後、硬貨識別部１５０による識別結果に基づいて硬貨受入部１１０で受け入れられた硬貨の合計金額を算出し、画像データに基づいて算出された硬貨の合計金額と、硬貨識別部１５０による識別結果に基づいて算出された硬貨の合計金額とを比較する態様を採用した場合には、画像データに基づいて算出された硬貨の合計金額と硬貨識別部１５０による識別結果に基づいて算出された硬貨の合計金額とを用いて二重に確認することができる。このため、より確実に、硬貨の違算の発生の可能性を低くすることができる。また、紙幣に関して撮像部５０で取得された画像データに基づいて紙幣の合計金額を算出する場合において、画像データに基づいて算出された紙幣の合計金額について確定処理が受け付けられた後、紙幣識別部２５０による識別結果に基づいて紙幣受入部２１０で受け入れられた紙幣の合計金額を算出し、画像データに基づいて算出された紙幣の合計金額と、紙幣識別部２５０による識別結果に基づいて算出された紙幣の合計金額とを比較する態様を採用した場合には、画像データに基づいて算出された紙幣の合計金額と紙幣識別部２５０による識別結果に基づいて算出された紙幣の合計金額とを用いて二重に確認することができる。このため、より確実に、紙幣の違算の発生の可能性を低くすることができる。
【０１２３】
画像データに基づいて算出された硬貨の合計金額と硬貨識別部１５０による識別結果に基づいて算出された硬貨の合計金額とが合致しない場合や、画像データに基づいて算出された紙幣の合計金額と紙幣識別部２５０による識別結果に基づいて算出された紙幣の合計金額とが合致しない場合に、その旨を出力する態様を採用したときには、例えば、そのことを、表示部５５１等の報知部でアラーム表示したり、音声で知らせたりすることができる。
【０１２４】
また、画像データに基づいて算出された硬貨の合計金額と硬貨識別部１５０による識別結果に基づいて算出された硬貨の合計金額とが合致しないことや、画像データに基づいて算出された紙幣の合計金額と紙幣識別部２５０による識別結果に基づいて算出された紙幣の合計金額とが合致しないことの出力を受けて、合致していない旨のログを記憶部５０５に残すこともできる。
【０１２５】
売上金額に基づいて余分な貨幣が載置されているか否かをリアルタイムで判断する態様を採用した場合であって、当該余分な貨幣に関する情報が出力される場合には、例えば、預かり金額を確定する前にそのことを顧客や操作者に知らせることができる。このため、無駄な釣銭を支払う作業をなくすことができる。ちなみに、このような態様によれば、外国人等の日本円に関する知識が乏しく、自己が支払っている貨幣の中に無駄があるのかないのかを把握していない顧客に対しても、余分な貨幣が支払われていることを操作者が容易に説明することができるし、当該顧客も余分な貨幣が支払われていることを自ら判断することができる。
【０１２６】
《変形例》
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いるとともに、重複する説明を省略する。
【０１２７】
上述した実施の形態において、制御部５０２は、「画像計数モード」に設定されている場合において受入部１１０に貨幣が投入されたり識別不能貨幣が発生したりすると「識別計数モード」に切り替わるようになっている例が示されたが、実行すべきモードを切り替える条件はこれに限定されない。
【０１２８】
例えば、制御部５０１は、予め設定された時間帯に基づいて、実行すべきモードを切り替えてもよい。この場合、時間帯の設定は、タイムテーブル（図１０参照）を上位記憶部５０５に記憶させることで、行われてもよい。図１０に態様では、タイムテーブルは、コンビニエンスストアで利用されるタイムテーブルとなっている。客が比較的多く混雑する朝食時（６：００−７：５９）及び昼食時（１１：００−１２：５９）の時間帯は、制御部５０１は、計数処理のスピードが速い「画像計数モード」に設定される。これにより、客を待たせる時間を短くすることができる。他方、客が比較的少ない他の時間帯は、制御部５０１は、識別精度の高い「識別計数モード」に設定される。これにより、釣銭金額に間違いが発生して顧客に迷惑を掛ける可能性を小さくすることができる。
【０１２９】
なお、予め設定された時間帯に基づいて実行すべきモードを切り替える場合、変更時刻に突然モードが切り替わると、店員や客が困惑する可能性があるため、モード切り替え時には、切り替える旨のメッセージを登録装置３００の登録表示部３５１及び／又は客側表示部３５６にポップアップ表示し、店員や客による承認操作を受けた後に切り替わるようになっていることが好ましい。
【０１３０】
あるいは、店員のＩＤと実行すべきモードとを対応付ける係員データベース（図１１参照）が記憶部５０５に記憶されており、登録装置３００に対する、店員によるＩＤ認証の操作に基づいて、制御部５０１に「画像計数モード」または「識別計数モード」のいずれかが設定されてもよい。例えば、「ＩＤ＝００１」のＩＤカードがカードリーダ３６０によって読み取られると「識別計数モード」が設定され、「ＩＤ＝００２」のＩＤカードがカードリーダ３６０によって読み取られると「画像計数モード」が設定される。
【０１３１】
また、例えば、操作部５５２にモード切替スイッチが設けられており、レジ設置時あるいは営業開始時に、店員によるモード切替スイッチの操作に基づいて、制御部５０１に「画像計数モード」または「識別計数モード」のいずれかが設定されてもよい。
【０１３２】
また、例えば、サーバ（例えば店舗サーバ）４００にモード切替スイッチが設けられており、店員によるサーバ（例えば店舗サーバ）４００のモード切替スイッチの操作に基づいて、店舗内（あるいは売り場内）に設置された複数の登録装置３００の制御部５０１に「画像計数モード」または「識別計数モード」のいずれかが一括で設定されてもよい。この場合、サーバ（例えば店舗サーバ）４００に、各制御部５０１の設定状態を監視する画面を設けてもよい。
【０１３３】
制御部５０１は、実行したモードを特定する情報を出力してもよい。制御部５０１が出力する情報は、後で検索可能とするために、取引ログ（図１２参照）として記憶部５０５に残されてもよい。図１２に示すよう態様では、取引番号、取引時刻、操作者（店員）のＩＤ、操作内容、取引金額、入金処理における紙幣の合計金額、硬貨の合計金額、計数モード、出金処理における紙幣の合計金額、硬貨の合計金額の各々の情報が１行で記録されている。なお、４番目の取引において計数モードの表示が括弧で囲われているのは、制御部５０１は画像計数モードに設定されていたが硬貨の入金が無かったため画像データに基づいた計数処理が行われなかったことを示している。なお、取引ログに記録される内容は、これらの情報に限られず、例えば、取引商品の内訳、貨幣の内訳、識別計数モードに切り替わった要因等の情報が記録されてもよい。
【０１３４】
また、撮像部５０（カメラ）が故障した場合には、「識別計数モード」への切り替えを促すメッセージが登録装置３００の登録表示部３５１にポップアップ表示され、店員による承認操作が行われると、制御部５０１が「識別計数モード」に設定されて処理が継続されるようになっていてもよい。
【０１３５】
最後になったが、上述した各実施の形態の記載及び図面の開示は、特許請求の範囲に記載された発明を説明するための一例に過ぎず、上述した実施の形態の記載又は図面の開示によって特許請求の範囲に記載された発明が限定されることはない。
【符号の説明】
【０１３６】
１０      載置部
１４ａ    吟味台
１００    硬貨処理装置
１０１    上位制御部（制御部）
１０２    硬貨制御部（制御部）
１０５    硬貨記憶部（記憶部）
１０９    硬貨処理ユニット
１５２    操作表示部（操作部、表示部）
１５３    ボタン式操作部（操作部）
１５５    上位記憶部（記憶部）
１５６    タイマー手段
３６０    カードリーダ
２００    紙幣処理装置
２０２    紙幣制御部（制御部）
２０５    紙幣記憶部（記憶部）
３００    登録装置
４００    サーバ
５０２    制御部
５０５    記憶部
５５１    表示部
５５２    操作部
【図１】
0006576687.tif 000002
【図２】
0006576687.tif 000003
【図３】
0006576687.tif 000004
【図４】
0006576687.tif 000005
【図５】
0006576687.tif 000006
【図６】
0006576687.tif 000007
【図７】
0006576687.tif 000008
【図８】
0006576687.tif 000009
【図９】
0006576687.tif 000010
【図１０】
0006576687.tif 000011
【図１１】
0006576687.tif 000012
【図１２】
0006576687.tif 000013